(57)【要約】【課題】  一般利用者のみならず目に障害を有する人や老人や子供などの広範囲の利用者が操作し易いように画面を表示できる画像形成装置を提供する。【解決手段】  視力検査のために質問１．を表示して視力検査を行って、視力が正常であれば普通の文字を表示することを決定し、衰えていれば文字を大きく表示することを決定し、質問２．を表示して色弱検査のための表示をおこなって、正常であれば色を変更しないことを決定し、色覚異常であれば文字を青で表示することを決定し、質問３．を表示して反応時間検査を行い、反応速度が速ければ一般成人で一般操作画面を表示することを判断し、反応速度が遅ければ老人であり、基本操作機能のみを表示すると判断する。【選択図】      図６
2005225138.tif 000002
【特許請求の範囲】
【請求項１】
画像を形成するための設定内容を表示部に表示する画像形成装置であって、
目に関する質問事項を前記表示部に表示する表示制御手段と、
前記表示部に表示された質問事項を見て、利用者が指示する操作部と、
前記操作部から指示がされたことに応じて、前記利用者の反応を判別して前記設定内容を適切に表示する表示変更手段とを備えた、画像形成装置。
【請求項２】
前記表示制御手段は、前記質問事項として、少なくとも視力検査，色弱検査および反応時間検査のためのいずれかの画像を表示させ、
前記表示変更手段は、前記操作部から指示がされたことに応じて、前記少なくとも視力検査，色弱検査および反応時間検査のいずれかを行い、その検査結果に応じて前記表示部に表示される設定内容の少なくとも大きさまたは色の変更もしくは表示機能を限定するのいずれかを行う、請求項１に記載の画像形成装置。
【請求項３】
前記視力検査のための画像は、順次大きさの異なる視力検査記号の画像であって、
前記表示変更手段は、前記利用者が前記操作部で指示した視力検査記号を判別して、視力が正常であれば前記設定内容を普通文字で表示し、視力が衰えていれば前記設定内容を前記普通文字よりも大きな文字で表示する、請求項２に記載の画像形成装置。
【請求項４】
前記色弱検査のための画像は、色覚異常者が誤認し易い異なる色の組み合わせ見本であって、
前記表示変更手段は、利用者が前記色見本の色の区別ができないことを指示したことに応じて、色覚異常者が誤認し難い色で前記設定内容を表示する、請求項２または３に記載の画像形成装置。
【請求項５】
前記色弱検査のための画像は、前記色覚異常者が誤認し易い異なる複数色の組み合わせの色見本と、前記色覚異常者が誤認し難い同じ色を組み合わせた色見本とを混在させたものであって、
前記表示変更手段は、利用者による前記色見本で異なる色の組み合わせ数の入力を受け、その数が前記異なる色の組み合わせ数に一致していなければ色弱異常であることを判別し、前記設定内容を青色で表示する、請求項２または３に記載の画像形成装置。
【請求項６】
前記反応時間検査のための画像は、所定時間ごとに点滅する表示であって、
前記表示変更手段は、前記利用者が前記点滅する表示を視認する時間が所定の時間よりも遅いことを判別すれば、前記設定内容の機能を制限する、請求項２から５のいずれかに記載の画像形成装置。
【請求項７】
前記表示変更手段は、前記利用者が前記点滅する表示を視認する時間が遅ければ、前記設定内容の切替時間を遅くする、請求項２から６のいずれかに記載の画像形成装置。
【発明の詳細な説明】
【技術分野】
【０００１】
この発明は画像形成装置に関し、特にデジタル複合機などのように使用に際してコピー部数などを設定する画像形成装置に関する。
【背景技術】
【０００２】
デジタル複合機などの画像形成装置は、コピー機として使用する際に所望のコピー枚数やシートサイズなどを設定する必要がある。前回のコピー時と同じ内容でコピーする場合であっても、利用者はその都度設定を行わなければならない。また、利用者には視力の弱い人や色盲の人のみならず老人や子供が含まれている場合もあるが、従来の画像形成装置は身体的障害のない使用頻度の高い利用者に合わせて設定しやすいようにされているだけであり、身体障害者などにとって利用し易いように考慮されていない。
【０００３】
しかしながら、最近では身体障害者の社会進出の機会が増加しており、さらに高齢化社会の到来などにより、バリアフリーの考え方に基づいてユニバーサルデザインの実現が切望されている。画像形成装置においても身体障害者などの利用者に合わせてより効率的で使い易いことが求められている。そのような画像形成装置が特開２００３−３３７５０５号公報（特許文献１）に記載されている。
【０００４】
この特許文献１には、利用者をＩＤで特定し、高齢者の場合には画像の濃度を変更してコントラストを高め、色覚障害者の場合には色を変更して表示される画像を識別可能とし、弱視力者または指の震えを有するものの場合には拡大文字で表示し、言語を利用者に合わせて変更する画像形成装置について記載されている。
【特許文献１】特開２００３−３３７５０５号公報（段落番号００６５、図７）
【発明の開示】
【発明が解決しようとする課題】
【０００５】
しかしながら、特許文献１に記載された画像形成装置では、利用者をＩＤで特定しており、ＩＤで特定された利用者に対してのみ表示などの変更がなされるだけであり、不特定多数の利用者を対象としていない。このため、ＩＤで特定されていない利用者が操作するときは既に設定されている表示に従ってコピー枚数などを入力せざるを得ず、各利用者に合った色や操作パネル上の文字の大きさ、使いやすさを設定することができず、従来どおりに不便な操作をせざるを得ないという問題がある。
【０００６】
それゆえに、この発明は、一般利用者のみならず目に障害を有する人や老人や子供などの広範囲の利用者が操作し易いように画面を表示できる画像形成装置を提供する。
【課題を解決するための手段】
【０００７】
この発明は、画像を形成するための設定内容を表示部に表示する画像形成装置であって、目に関する質問事項を表示部に表示する表示制御手段と、表示部に表示された質問事項を見て、利用者が指示する操作部と、操作部から指示がされたことに応じて、利用者の反応を判別して設定内容を適切に表示する表示変更手段とを備える。
【０００８】
好ましくは、表示制御手段は質問事項として、少なくとも視力検査，色弱検査および反応時間検査のためのいずれかの画像を表示させ、表示変更手段は操作部から指示がされたことに応じて、少なくとも視力検査，色弱検査および反応時間検査のいずれかを行い、その検査結果に応じて表示部に表示される設定内容の少なくとも大きさまたは色の変更もしくは表示機能を限定するのいずれかを行う。
【０００９】
好ましくは、視力検査のための画像は、順次大きさの異なる視力検査記号の画像であって、表示変更手段は利用者が操作部で指示した視力検査記号を判別し、視力が正常であれば設定内容を普通文字で表示し、視力が衰えていれば設定内容を普通文字よりも大きな文字で表示する。
【００１０】
好ましくは、色弱検査のための画像は、色覚異常者が誤認し易い異なる色の組み合わせ見本であって、表示変更手段は色見本の色の区別ができないことを指示したことに応じて、色覚異常者が誤認し難い色で設定内容を表示する。
【００１１】
好ましくは、色弱検査のための画像は、色覚異常者が誤認し易い異なる複数色の組み合わせの色見本と、色覚異常者が誤認し難い同じ色を組み合わせた色見本とを混在させたものであって、表示変更手段は利用者が色見本で異なる色の組み合わせ数を入力し、その数が異なる色の組み合わせ数に一致していなければ色弱異常であることを判別し、設定内容を青色で表示する。
【００１２】
好ましくは、反応時間検査のための画像は、所定時間ごとに点滅する表示であって、表示変更手段は利用者が点滅する表示を視認する時間が遅ければ、設定内容の機能を制限する。
【００１３】
好ましくは、表示変更手段は利用者が点滅する表示を視認する時間が遅ければ、設定内容の切替時間を遅くする。
【発明の効果】
【００１４】
以上のように、この発明によれば、目に関する質問事項を表示部に初期画面として表示し、表示された質問事項を見て、利用者が操作部から指示したことに応じて、利用者の反応を判別して設定内容を適切に表示することにより、目に障害を有する人のみならず老人や子供などの広範囲の利用者が操作し易いように画面を表示できる。
【発明を実施するための最良の形態】
【００１５】
図１はこの発明の一実施形態における画像形成装置としてのデジタル複合機の概略ブロック図であり、図２は図１に示した操作部の一例を示す正面図である。
【００１６】
図１において、デジタル複合機１は制御部１１と、印字部１２と、画像読み取り部１３と、操作部１８とを含む。制御部１１は、後述の図３〜図５で説明する質問のためのガイダンスを表示する情報を予め記憶しているＲＯＭ１４を含み、印字部１２による印字のための制御と、画像読み取り部１３の画像読み取りのための制御と、操作部１８の入力部１９からのデータを入力するための制御と、操作部１８の表示部２０にデータを表示するための制御などを行う。画像読み取り部１３は光電変換素子の一例のＣＣＤ（図示せず）を備えており、原稿の画像データを読み取ることができる。操作部１８は入力部１９と表示部２０とを含む。
【００１７】
図２に示す操作部１８に含まれる入力部１９は、ＦＡＸの送信スタートやコピースタートなどを指示するスタートボタン１９１と、実行中の処理を全面的に解除するためのストップ／クリアボタン１９２と、リセットを指示するためのリセットボタン１９３と、ファクス（ＦＡＸ）送り先の番号やコピー枚数などを指示するテンキー１９４と、コピー，プリンタ，スキャナ，ファクスの各モードを選択する選択キー１９５などを含む。表示部２０は液晶パネルにより構成されており、デジタル複合機１から利用者への情報を表示できるようになっている。この液晶パネルはコピー用紙のサイズや倍率の設定などを行う入力部１９の一部としても機能するとともに、後述の利用者の目に関する診断をするための質問のガイダンスを表示する。
【００１８】
なお、図１において太線の矢印は画像データの流れを示しており、細線の矢印は制御信号または制御データの流れを示している。
【００１９】
図３〜図５は利用者の目に関する診断をするための質問のガイダンス表示例を示しており、特に、図３は視力検査のガイダンスであり、図４は色弱検査のガイダンスであり、図５は反応時間検査のガイダンスを示している。
【００２０】
これらの質問事項のガイダンスは、画像形成装置の使用時に初期画面として表示し、各質問事項について利用者に答えてもらい、その利用者が抱えている目の問題や操作レベルをチェックして、その情報をもとに各利用者にあった画面を設定するものである。なお、これらの質問事項のガイダンスは、初期画面としてではなく、入力部１９に設定キーを設けておき、この設定キーが操作されときに表示してもよい。
【００２１】
図３に示す視力検査は、ユーザにとって最適な表示フォントサイズを設定するための検査である。このために、表示部２０には質問１．として「Ｃのあいている箇所を順に押してください」のガイダンスと、視力検査記号２１と、上下左右方向を指示するための矢印キー２２とが表示される。視力検査記号２１は、あいている箇所が上下左右方向のいずれかに向けられており、（１）〜（６）の順で大きさが小さくなる「Ｃ」の一連の表示である。
【００２２】
図４に示す色弱検査は、ユーザが確実に判別可能なように最適なカラー配置を設定するための検査である。表示部２０には質問２．として「違う色の組み合わせはいくつありますか」のガイダンスと、色覚異常者が誤認し易い紫と青，橙と茶，緑と黄，シアンと灰のそれぞれ異なる色の組み合わせ見本および色覚異常者が誤認し難い黒と黒の同じ色の組み合わせを混在させた色見本２３と、違う色の組み合わせの数を示す（１）〜（５）の選択キー２４とが表示される。
【００２３】
色弱は赤緑色盲（第１色盲，第２色盲）が大多数を占めており、赤〜緑の波長域において明度が類似した色の見分けが困難になっており、第１色盲では最も長波長側の視物質に変異があるため，赤が暗く感じられる。このため、濃い赤がほとんど黒に見える。第２色盲では、真中の波長域の視物質に変異があるため赤と緑の区別をし難いが、この波長域は赤と青の視物質でもカバーされるため、緑が暗く感じられることはない。このような第１色盲と第２色盲とを検査するために、上記の組み合わせの色見本が表示される。
【００２４】
図５に示す反応時間検査は、主に老人のために行われ、キー操作時の切替速度の変更，表示項目の限定のための検査である。表示部２０には、質問３．として「矢印が点滅したらボタンを押してください」のガイダンスと、点滅表示２５と、ボタン２６とが表示される。
【００２５】
図６はこの発明の一実施形態の動作を説明するためのフローチャートである。
【００２６】
制御部１１は表示部２０に図３のステップ（図示ではＳＰと略称する。）ＳＰ１において、視力検査を行うために、図３に示した「質問１．「Ｃ」の記号のあいている箇所を順に押してください」のガイダンスと、視力検査記号２１として（１）〜（６）の大きさの「Ｃ」の一連の記号と、矢印キー２２を表示する。利用者はその表示を見て（１）の大きさの「Ｃ」から（６）の大きさの「Ｃ」の順次あいている箇所の方向を、矢印キー２２を操作して指示する。
【００２７】
制御部１１は、ステップＳＰ２において矢印キー２２で指示された方向と、表示した「Ｃ」の記号のあいている箇所の方向とが一致しているか否かを順次判別する。（１）〜（６）の大きさの「Ｃ」のうち、（４）〜（６）の「Ｃ」あいている箇所の方向を正確に指示できていれば、視力が正常であり、（１）〜（３）のいずれかの大きさの「Ｃ」のあいている向きしか正確に指示できなければ視力が衰えていることを判別する。視力が正常であればステップＳＰ３において普通文字で表示することを選択し、視力が衰えていることを判別すれば、ステップＳＰ４において大きい文字で表示することを選択する。
【００２８】
制御部１１は、ステップＳＰ５において、色弱検査を行うために、表示部２０に図４に示した「質問２．違う色の組み合わせはいくつありますか」のガイダンスと、紫と青，橙と茶，緑と黄，シアンと灰，黒と黒の５組の組み合わせにおける色見本２３と、違う色の組み合わせの数を示す（１）〜（５）の選択キー２４とを表示する。利用者は質問２．の表示を見て、選択キー２４により５組の色見本２３のうち、判別可能な違う色の組み合わせ数を指示する。
【００２９】
制御部１１はステップＳＰ６において、色弱検査が正常であるか否かの判別を行う。この色弱検査の判別において、図４に示すように表示部２０には違う色の組み合わせは、紫と青，橙と茶，緑と黄，シアンと灰の４組であるため、利用者が（４）を指示していて全問正解であれば、色弱検査は正常であり、ステップＳＰ７において今までの文字の色のままであると判断する。しかし、１問でも間違えた場合は色盲であり、色覚異常と判断する。色盲の場合、第１色盲および第２色盲では、青色は正常に見えるため、ステップＳＰ８において青色文字で表示することを選択する。
【００３０】
制御部１１はステップＳＰ９において、反応時間検査を行うために、表示部２０に図５に示した質問３．として「矢印が点滅したらボタンを押してください」のガイダンスと、点滅表示２５と、ボタン２６とを表示する。利用者は矢印が指し示す表示が点滅するごとに、ボタン２６の表示を手で押す。制御部１１はステップＳＰ１０において、表示を点滅させてからボタン２６が操作されるまでの反応時間を判別し、平均反応速度が例えば０〜１．５ｓｅｃ以内であれば利用者が一般成人であると判別し、平均反応速度が例えば１．５ｓｅｃ以上であれば、利用者が一般成人以外の老人あるいは子供であると判別する。
【００３１】
制御部１１は平均反応速度が０〜１．５ｓｅｃ以内であることを判別したときには、ステップＳＰ１１において一般操作画面を選択し、平均反応速度が１．５ｓｅｃ以上であることを判別したときにはステップＳＰ１２において基本機能操作画面を選択する。基本機能操作画面の表示は老人や子供向けに複雑な設定項目を省略して表示するものであり、表示を行う項目は利用者が予め任意に設定可能にされている。例えば、コピー枚数，拡大・縮小機能を主として大きく表示する。また、老人や子供の場合には、操作部１８の入力部１９の各キーが操作されてから決定と判断するまでの時間や画面の切替時間を遅くする。
【００３２】
以上の診断の結果、ステップＳＰ１３において次の８通りの画面表示パターンで表示部２０に表示する。
【００３３】
図７は画面表示パターンを整理して示した図である。
（１）  視力および色覚がともに正常な一般成人であれば、文字を普通にし、文字色を変更せず、一般操作画面を表示する（ＳＰ３，７，１１）。
（２）  視力および色覚がともに正常な一般成人以外であれば、文字を普通にし、文字色を変更せず、基本機能操作画面を表示する（ＳＰ３，７，１２）。
（３）  視力が正常で色覚が異常な一般成人であれば、文字を普通にしかつ青くし、一般操作画面を表示する（ＳＰ３，８，１１）。
（４）  視力が正常で色覚が異常な一般成人以外であれば、文字を普通にしかつ青くし、基本機能操作画面を表示する（ＳＰ３，８，１２）。
（５）  視力が衰えていて色覚が正常な一般成人であれば、文字を大きくし、文字色を変更せず、一般操作画面を表示する（ＳＰ４，７，１１）。
（６）  視力が衰えていて色覚が正常な一般成人以外であれば、文字を大きくし、文字色を変更せず、基本機能操作画面を表示する（ＳＰ４，７，１２）。
（７）  視力が衰えていて色覚異常の一般成人であれば、文字を大きくかつ青くし、一般操作画面を表示する（ＳＰ４，８，１１）。
（８）  視力が衰えていて色覚異常の一般成人以外であれば、文字を大きくかつ青くし、基本機能操作画面を表示する（ＳＰ４，８，１２）。
【００３４】
従って、この実施形態によれば、健康な一般成人に対しては普通の文字で一般操作画面を表示し、視力の衰えている一般成人や一般成人以外の場合には大きな文字で操作画面を表示し、色覚異常な一般成人および一般成人以外には青で表示し、さらに一般成人以外に対しては基本機能操作画面を表示するようにしたので、バリアフリーの実現が可能になり、ユニバーサルデザインに適しており、一般成人以外の身体障害者や老人や子供であっても操作し易くて利用し易い画像形成装置を構成できる。なお、好ましくは、一般成人以外の場合には設定内容の表示の切り替え時間を遅くしてもよい。
【００３５】
なお、上述の実施形態では、視力検査，色弱検査および反応時間検査を順次行うようにしたが、これに限らず、少なくともいずれか１つの目に関する検査のための質問を表示して、利用者が指示することにより、その反応を判別して表示内容を適切な表示となるように変更するようにしてもよい。
【００３６】
なお、図３では表示部２０に、視力検査記号２１として大きさの異なる（１）〜（６）の「Ｃ」を一連の記号として同時に表示するようにしたが、まず（１）の大きさの「Ｃ」を表示し、利用者があいている方向を指示し、それを判別した後（２），（３），（４）…の大きさの「Ｃ」を順次表示し、利用者がそれぞれのあいている箇所の方向を指示するようにしてもよい。
【００３７】
また、大きさの異なるひらがなを表示し、視認可能なひらがな文字の上から指示することで視力検査を行うようにしてもよい。
【００３８】
さらに、図４では色見本として、色覚異常者が誤認し易い異なる色の組み合わせと、色覚異常者が誤認し難い同じ色の組み合わせを混在させたが、色覚異常者が誤認し易い色の組み合わせ、例えば赤と緑，緑と茶などのみを表示し、それぞれの色の区別ができるか否かを判別するようにしてもよい。
【００３９】
また、上述の実施形態では、老人の場合には基本操作画面を表示するようにしたが、表示内容を判別しやすくするために画像の濃度を変更してコントラストを高めるようにしてもよい。
【００４０】
さらに、上述の実施形態では、検査のためのガイダンスを表示部２０に表示するようにしたが、ガイダンスを音声で利用者に知らせるようにしてもよい。
【００４１】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００４２】
【図１】この発明の一実施形態における画像形成装置としてのデジタル複合機の概略ブロック図である。
【図２】図１に示した操作部の一例を示す正面図である。
【図３】視力検査の質問のためのガイダンス表示例を示す図である。
【図４】色弱検査の質問のためのガイダンス表示例を示す図である。
【図５】反応時間検査の質問のためのガイダンス表示例を示す図である。
【図６】この発明の一実施形態の動作を説明するためのフローチャートである。
【図７】画面表示パターンを整理して示した図である。
【符号の説明】
【００４３】
１  デジタル複合機、１１  制御部、１２  印字部、１３  画像読み取り部、１８  操作部、１９  入力部、２０  表示部、２１  視力検査記号、２２  矢印キー、２３  色見本、２４  選択キー、２５  点滅表示、２６  ボタン、１９１  スタートボタン、１９２  ストップ／クリアボタン、１９３  リセットボタン、１９４  テンキー、１９５  選択キー。
【図１】
2005225138.tif 000003
【図２】
2005225138.tif 000004
【図３】
2005225138.tif 000005
【図４】
2005225138.tif 000006
【図５】
2005225138.tif 000007
【図６】
2005225138.tif 000008
【図７】
2005225138.tif 000009